(57)【要約】      （修正有）【課題】他人の視線を気にすることなくマッサージを受けることができ、一般施設に設置されたマッサージユニットの使用を促進させることができ、利用率を向上させるマッサージユニットを提供する。【解決手段】マッサージユニット２は、マッサージ機１０と、着座したユーザにマッサージを実行する本体部１３と、本体部に着座したユーザを外部から隠す仕切り部１１と、状態表示部１２（表示部）を備える。マッサージ機１０は、椅子型のマッサージ機である。【選択図】図１
2020185221.tif 000002
【特許請求の範囲】
【請求項１】
着座したユーザにマッサージを実行する本体部と
前記本体部に着座した前記ユーザを外部から隠す仕切り部と
を備えるマッサージユニット。
【請求項２】
前記仕切り部は、前記本体部の周囲に設けられる
ことを特徴とする請求項１に記載のマッサージユニット。
【請求項３】
前記仕切り部は、前記本体部に取り付けられる
ことを特徴とする請求項１に記載のマッサージユニット。
【請求項４】
前記仕切り部は、前記ユーザに前方から温感マッサージを実行する温感マッサージ部である
ことを特徴とする請求項３に記載のマッサージユニット。
【請求項５】
前記仕切り部は、画像投影用のスクリーンである
ことを特徴とする請求項３または４に記載のマッサージユニット。
【請求項６】
前記仕切り部は、前記本体部に着座した前記ユーザの顔を隠す
ことを特徴とする請求項１〜５のいずれか一つに記載のマッサージユニット。
【請求項７】
前記仕切り部は、前記本体部に着座した前記ユーザの下半身を隠す
ことを特徴とする請求項１〜６のいずれか一つに記載のマッサージユニット。
【発明の詳細な説明】
【技術分野】
【０００１】
本発明は、マッサージユニットに関する。
【背景技術】
【０００２】
従来、マッサージ機の使用料金を課金することで、マッサージ機を使用可能とすることが知られている（例えば、特許文献１参照）。
【先行技術文献】
【特許文献】
【０００３】
【特許文献１】特開２００４−１３９２７０号公報
【発明の概要】
【発明が解決しようとする課題】
【０００４】
上記マッサージ機は、多数のユーザが使用可能となるように設置されている。しかしながら、上記マッサージ機では、マッサージ機の使用中の姿が他人に見られるため、マッサージ機の使用をためらうおそれがある。そのため、マッサージ機の利用率が低下するおそれがある。
【０００５】
本発明は、上記に鑑みてなされたものであって、利用率を向上させるマッサージユニットを提供することを目的とする。
【課題を解決するための手段】
【０００６】
実施形態の一態様に係るマッサージユニットは、着座したユーザにマッサージを実行する本体部と、前記本体部に着座した前記ユーザを外部から隠す仕切り部とを備える。
【０００７】
これにより、マッサージユニットを使用するユーザは、他人の視線を気にすることなくマッサージを受けることができる。そのため、例えば、一般施設に設置されたマッサージユニットの使用を促進させることができ、マッサージユニットの利用率を向上させることができる。
【０００８】
実施形態の一態様に係るマッサージユニットの仕切り部は、前記本体部の周囲に設けられる。
【０００９】
これにより、マッサージユニットを使用するユーザを隠しつつ、マッサージユニットを使用するユーザに圧迫感を与えることを抑制することができる。
【００１０】
実施形態の一態様に係るマッサージユニットの仕切り部は、前記本体部に取り付けられる。
【００１１】
これにより、マッサージユニットを移動させる場合に、本体部と、仕切り部とを同時に移動させることができ、マッサージユニットの移動が容易となる。また、マッサージユニットを小型化することができる。
【００１２】
実施形態の一態様に係るマッサージユニットの仕切り部は、前記ユーザに前方から温感マッサージを実行する温感マッサージ部である。
【００１３】
これにより、マッサージユニットは、ユーザの前方から温感マッサージを実行しつつ、ユーザを隠すことができる。そのため、ユーザの満足度を向上させ、マッサージユニットの使用を促進させることができる。
【００１４】
実施形態の一態様に係るマッサージユニットの仕切り部は、画像投影用のスクリーンである。
【００１５】
これにより、マッサージユニットは、スクリーンを使用して映画などをユーザに鑑賞させつつ、ユーザを隠すことができる。そのため、ユーザの満足度を向上させ、マッサージユニットの使用を促進させることができる。
【００１６】
実施形態の一態様に係るマッサージユニットの仕切り部は、前記本体部に着座した前記ユーザの顔を隠す。
【００１７】
これにより、マッサージユニットを使用するユーザは、他人の視線を気にすることなくマッサージを受けることができる。そのため、例えば、一般施設に設置されたマッサージユニットの使用を促進させることができ、マッサージユニットの利用率を向上させることができる。
【００１８】
実施形態の一態様に係るマッサージユニットの仕切り部は、前記本体部に着座した前記ユーザの下半身を隠す。
【００１９】
これにより、マッサージユニットを使用するユーザは、他人の視線を気にすることなくマッサージを受けることができる。そのため、例えば、一般施設に設置されたマッサージユニットの使用を促進させることができ、マッサージユニットの利用率を向上させることができる。
【発明の効果】
【００２０】
実施形態の一態様によれば、マッサージユニットの利用率を向上させることができる。
【図面の簡単な説明】
【００２１】
【図１】図１は、実施形態に係るマッサージユニット管理システムにおける構成の一例を示すブロック図である。
【図２】図２は、実施形態に係るコントローラの構成の一例を示すブロック図である。
【図３】図３は、実施形態に係る情報処理装置の構成の一例を示すブロック図である。
【図４】図４は、使用結果ＤＢに記憶された情報の一例を示す図である。
【図５】図５は、ユーザ使用情報ＤＢに記憶された情報の一例を示す図である。
【図６】図６は、一般使用情報ＤＢに記憶された情報の一例を示す図である。
【図７】図７は、実施形態に係るユーザ端末の構成の一例を示すブロック図である。
【図８】図８は、実施形態に係る予約処理を説明するフローチャートである。
【図９】図９は、実施形態に係る使用提案処理を説明するフローチャートである。
【図１０】図１０は、変形例に係るマッサージユニットを示す概略図である。
【図１１】図１１は、変形例に係るマッサージユニットを示す概略図である。
【発明を実施するための形態】
【００２２】
以下に、本願に係るマッサージユニットを実施するための形態（以下、「実施形態」と呼ぶ）について図面を参照しつつ詳細に説明する。なお、この実施形態により本願に係るマッサージユニットが限定されるものではない。
【００２３】
［マッサージユニット管理システム］
実施形態に係るマッサージユニット管理システム１について図１を参照し説明する。図１は、実施形態に係るマッサージユニット管理システム１における構成の一例を示すブロック図である。
【００２４】
マッサージユニット管理システム１は、マッサージユニット２と、情報処理装置４と、ユーザ端末５とを備える。マッサージユニット２、情報処理装置４、およびユーザ端末５は、インターネットなどのネットワークＮを介して無線、または有線によって通信可能に接続される。
【００２５】
［マッサージユニット］
マッサージユニット２は、一般施設に設置される。一般施設は、多数のユーザが使用可能な施設であり、例えば、空港などの公共施設や、デパートや、店舗である。店舗は、マッサージのサービスを提供する店舗である。なお、店舗には、マッサージのサービス以外のサービスを提供する店舗が含まれてもよい。例えば、店舗には、マッサージ治療院や、スポーツジムなどが含まれる。マッサージユニット２は、多数の一般施設に設置される。なお、マッサージユニット２は、ユーザの自宅に設置されてもよい。
【００２６】
マッサージユニット２は、マッサージ機１０と、仕切り部１１と、状態表示部１２（表示部）とを備える。マッサージ機１０は、椅子型のマッサージ機である。マッサージ機１０は、本体部１３と、操作部１４と、コントローラ１５とを備える。なお、マッサージ機１０は、ユーザ端末５などを充電可能な充電装置や、テレビや、動画などを視聴可能な表示装置などの付加機能装置を備えてもよい。付加機能装置は、操作部１４と一体に設けられてもよい。
【００２７】
本体部１３は、ユーザが着座する座部１３ａや、背もたれ部１３ｂや、肘掛け部１３ｃなどを備える。また、本体部１３は、ユーザにマッサージを実行するマッサージ機構（不図示）を備える。マッサージ機構は、例えば、揉み玉や、揉み玉を動作させるアクチュエータで構成される。マッサージ機構は、座部１３ａや、背もたれ部１３ｂや、肘掛け部１３ｃなどにそれぞれ設けられ、各種マッサージを実行する。
【００２８】
操作部１４は、マッサージ機構などを動作させるためのリモコンである。操作部１４は、ユーザの操作を受け付けるボタンや、表示部などを備える。操作部１４は、タッチパネルであってもよい。また、操作部１４は、ユーザＩＤの認証を行う認証装置１４ａを備える。認証装置１４ａは、例えば、カードリーダーである。認証装置１４ａは、ユーザの情報が登録されたカードからユーザＩＤを読み出す。ユーザＩＤは、ユーザ識別情報の一例であり、ユーザに割り当てられた識別子である。なお、認証装置１４ａは、操作部１４とは別に設けられてもよい。また、ユーザＩＤの認証は、ユーザ端末５を介して行われてもよい。
【００２９】
コントローラ１５は、マッサージ機構を制御し、ユーザに対するマッサージを実行させる。コントローラ１５について図２を参照し説明する。図２は、実施形態に係るコントローラ１５の構成の一例を示すブロック図である。コントローラ１５は、通信部２０と、記憶部２１と、制御部２２とを備える。
【００３０】
通信部２０は、例えば、ＮＩＣ（Network  Interface  Card）等によって実現される。通信部２０は、ネットワークＮを介して有線または無線によって、情報処理装置４、およびユーザ端末５と通信可能に接続される。また、通信部２０は、情報処理装置４と直接通信を行わず、ユーザ端末５を介して通信を行う構成であってもよい。
【００３１】
記憶部２１は、例えば、ＲＡＭ（Random  Access  Memory）、フラッシュメモリ等の半導体メモリ素子、または、ハードディスク、光ディスク等の記憶装置によって実現される。
【００３２】
制御部２２は、例えば、ＣＰＵ（Central  Processing  Unit）、ＲＯＭ（Read  Only  Memory）、ＲＡＭ、入出力ポートなどを有するマイクロコンピュータや各種の回路を含む。制御部２２は、ＣＰＵがＲＯＭに記憶された各種プログラムを、ＲＡＭを作業領域として使用して実行することにより機能する第１取得部２２０、第２取得部２２１、生成部２２２、出力部２２３（送信部）、実行部２２４、および管理部２２５を備える。
【００３３】
なお、制御部２２が備える第１取得部２２０、第２取得部２２１、生成部２２２、出力部２２３、実行部２２４、および管理部２２５は、それぞれ一部または全部がＡＳＩＣ（Application  Specific  Integrated  Circuit）やＦＰＧＡ（Field  Programmable  Gate  Array）等のハードウェアで構成されてもよい。また、第１取得部２２０、第２取得部２２１、生成部２２２、出力部２２３、実行部２２４、および管理部２２５は、複数に分割されて構成されてもよく、統合されて構成されてもよい。
【００３４】
第１取得部２２０は、認証装置１４ａ（図１参照）を介して、マッサージユニット２を使用するユーザのユーザＩＤを取得する。なお、第１取得部２２０は、Ｂｌｕｅｔｏｏｔｈ（登録商標）や、Ｗｉ-Ｆｉ（登録商標）などの近距離無線通信を介して、ユーザ端末５からユーザＩＤを取得してもよい。
【００３５】
第２取得部２２１は、詳しくは後述する情報処理装置４から通信部２０を介して、ユーザＩＤに基づいた使用提案情報を取得する。使用提案情報は、ユーザが使用するマッサージ機１０に対する推奨使用方法の情報である。
【００３６】
推奨使用方法は、例えば、推奨マッサージコースである。以下では、推奨使用方法として推奨マッサージコースを一例として説明するが、これに限られることはない。推奨使用方法は、推奨マッサージコースに限られず、マッサージの強さや、速さや、ユーザの体形情報に基づいたマッサージ箇所や、マッサージ箇所などの個別動作を含む使用方法であってもよい。すなわち、推奨使用方法の情報は、マッサージコースに関する情報に限られず、マッサージの位置や、マッサージの強さなどを提案する情報であってもよい。
【００３７】
また、第２取得部２２１は、通信部２０を介して、情報処理装置４からマッサージユニット２の予約結果情報（予約情報）を取得する。予約結果情報は、マッサージユニット２が予約されたことを示す情報である。
【００３８】
生成部２２２は、マッサージ機１０の第１使用情報を生成する。第１使用情報は、マッサージ機１０で使用されたマッサージコースに関する情報であり、ユーザＩＤ、および機器ＩＤに紐付けられる。機器ＩＤは、マッサージ機１０に機器情報の一例であり、マッサージ機１０に割り当てられた識別子である。なお、第１使用情報には、マッサージコースの他に、マッサージの強さや、ユーザの体形情報に基づいたマッサージ箇所に関する情報が含まれてもよい。
【００３９】
生成部２２２は、ユーザＩＤが付与されていないユーザの使用である場合には、機器ＩＤに紐付けた第１使用情報を生成する。
【００４０】
また、生成部２２２は、マッサージユニット２の使用状態情報を生成する。使用状態情報は、マッサージユニット２がユーザに使用されているか否かを示す情報であり、機器ＩＤに紐付けられる。
【００４１】
出力部２２３は、第１取得部２２０によって取得されたユーザＩＤを機器ＩＤに紐付けて、通信部２０を介して情報処理装置４に送信する。また、出力部２２３は、生成部２２２によって生成された第１使用情報、および使用状態情報を、通信部２０を介して情報処理装置４に送信する。また、出力部２２３は、第２取得部２２１によって取得された推奨マッサージコースを操作部１４に表示させる。
【００４２】
実行部２２４は、マッサージ機構を制御してマッサージを実行する。実行部２２４は、使用提案情報に基づいてマッサージを実行する。例えば、実行部２２４は、使用提案情報として取得され、操作部１４に表示された推奨マッサージコースをユーザが選択した場合には、推奨マッサージコースのマッサージを実行する。
【００４３】
なお、実行部２２４は、操作部１４に表示された推奨マッサージコースをユーザが選択せず、他のマッサージコースを選択した場合には、ユーザが選択した他のマッサージコースのマッサージを実行する。
【００４４】
実行部２２４は、推奨マッサージコースが取得された場合に、取得された推奨マッサージコースのマッサージを実行してもよい。また、推奨マッサージコースが取得された場合に、取得された推奨マッサージコースのマッサージを実行するか、ユーザの操作に応じてマッサージを実行するか否かを切り替え可能であってもよい。
【００４５】
また、実行部２２４は、マッサージを実行する前にプレモードを実行し、マッサージを実行した後に整えモードを実行する。プレモード、および整えモードは、例えば、マッサージとしての効果が無いゆりかご運動のような動作を実行するリクライニング機構を動作させたり、音楽をかけたりするモードである。
【００４６】
なお、プレモードや、整えモードは、操作部１４を介したユーザの操作により、終了したり、スキップしたりすることができる。また、実行部２２４は、プレモード、整えモードのうち、一方のみを実行してもよい。
【００４７】
管理部２２５は、第２取得部２２１によってマッサージ機１０の予約結果情報が取得された場合に、予約結果情報に基づいて状態表示部１２に予約状態を表示させる。例えば、管理部２２５は、予約時間に対し、所定時間（例えば、後述する使用可能時間相当時間）前から状態表示部１２に「予約中」と表示させる。所定時間前から表示させる理由は、直前に使用している人の使用中に予約中表示がなされるのを防ぐためである。なお、管理部２２５は、予約時間や誰が予約したか判るように予約番号等を合わせて表示させてもよい。管理部２２５は、予約時間が経過すると、「予約中」の表示を終了させる。
【００４８】
また、管理部２２５は、マッサージユニット２が予約されている場合には、予約時間に合わせてマッサージ機１０の使用を管理する。管理部２２５は、予約時間に対し、所定時間前から他のユーザによるマッサージ機１０の使用をさせないようにする。例えば、管理部２２５は、マッサージ機構の動作を禁止したり、予約中の表示をリモコンにも表示させたりする。そして、管理部２２５は、予約したユーザのユーザＩＤを認証装置１４ａ（図１参照）が認証した場合にのみ、マッサージ機構の動作を許可する。
【００４９】
また、管理部２２５は、マッサージユニット２の使用可能時間（例えば、１時間）を設定し、使用可能時間の間、マッサージユニット２をユーザが占有して使用可能としてもよい。管理部２２５は、課金額などに応じて使用可能時間を設定する。使用可能時間は、プレモードの時間、マッサージ動作時間、および整えモードの時間を含む時間である。すなわち、使用可能時間は、マッサージ動作時間よりも長い時間である。
【００５０】
マッサージ動作時間は、マッサージが実行される時間である。なお、マッサージ動作時間は、１回のマッサージにおける動作時間が健康上望ましいとされる上限動作時間（例えば、３０分）以下となるように設定される。上限動作時間は、予め設定された時間である。上限動作時間は、マッサージの種類や、マッサージ機１０のマッサージコース毎に設定されてもよい。
【００５１】
例えば、管理部２２５は、ユーザＩＤが取得された後に、使用時間のカウントを開始し、使用時間が使用可能時間となるまでの間に、ユーザがマッサージ機１０を使用可能とする。管理部２２５は、使用可能時間の間、状態表示部１２に使用中であることを表示させ、使用可能時間の間、ユーザがユニットを占有して使用可能であることを外部に報知する。例えば、管理部２２５は、使用可能時間の間、状態表示部１２に「予約中」の表示に代えて「使用中」と表示させる。なお、管理部２２５は、使用可能時間の残時間を合わせて表示させてもよい。
【００５２】
また、管理部２２５は、使用時間が使用可能時間を経過した場合には、ユーザがマッサージユニット２を使用可能ではないことを報知する。管理部２２５は、状態表示部１２の「使用中」の表示を終了させる。また、管理部２２５は、使用時間が使用可能時間を経過したことを、音声や、マッサージ機１０の振動によってユーザに知らせてもよい。これにより、マッサージ中に眠ったユーザを起こすことができる。すなわち、管理部２２５は、目覚まし動作を行う。
【００５３】
また、管理部２２５は、マッサージが開始される場合には、音声によってユーザにマッサージの開始を知らせる。例えば、管理部２２５は、マッサージを開始する場合には、「マッサージを開始します。」と音声案内を行う。また、管理部２２５は、マッサージが終了し、整えモードが実行される場合には、「マッサージを終了します。」と音声案内を行う。
【００５４】
なお、管理部２２５は、使用可能時間の間、充電装置などの付加機能装置の使用を可能としてもよい。
【００５５】
図１に戻り、仕切り部１１は、マッサージ機１０の周囲に設けられる。仕切り部１１は、座部１３ａに着座したユーザを隠すように設けられる。例えば、仕切り部１１は、ついたてや、パーテーションである。仕切り部１１は、複数の部材によって構成されてもよく、１つの部材によって構成されてもよい。なお。仕切り部１１は、個室を形成する壁であってもよい。仕切り部１１は、座部１３ａに着座したユーザの顔や、下半身が隠れるように設けられる。例えば、仕切り部１１は、座部１３ａに着座したユーザを前方、または側方から見た場合に、座部１３ａに着座したユーザの顔や、下半身が隠れるように設けられる。
【００５６】
状態表示部１２は、仕切り部１１に設けられる。また、状態表示部１２は、外部から視認できる位置に設けられる。状態表示部１２は、例えば、液晶表示装置であり、マッサージユニット２の予約状態や、使用状態を表示する。なお、状態表示部１２は、マッサージユニット２の予約状態や、使用状態に応じて点灯するランプなどによって構成されてもよい。
【００５７】
また、状態表示部１２は、マッサージユニット２の使用状態をさらに詳細に表示してもよい。例えば、状態表示部１２は、マッサージ、プレモード、および整えモードの実行に応じた表示を行ってもよい。
【００５８】
なお、コントローラ１５の一部は、マッサージ機１０とは別に設けられてもよい。すなわち、上記した制御の一部を実行可能な管理装置をマッサージ機１０とは別に設けてもよい。例えば、管理装置は、コインの投入や、カードリーダーの読み出しによって課金額を算出し、マッサージ機１０を利用可能とする管理装置である。
【００５９】
［情報処理装置］
次に、情報処理装置４について図３を参照し説明する。図３は、実施形態に係る情報処理装置４の構成の一例を示すブロック図である。
【００６０】
情報処理装置４は、例えば、サーバ装置や、クラウドシステムなどによって実現される。情報処理装置４は、通信部４０と、記憶部４１と、制御部４２とを備える。
【００６１】
通信部４０は、例えば、ＮＩＣ等によって実現される。通信部４０は、ネットワークＮを介して有線または無線によって、マッサージユニット２、およびユーザ端末５と通信可能に接続される。
【００６２】
記憶部４１は、使用結果ＤＢ４１０と、ユーザ使用情報ＤＢ４１１と、一般使用情報ＤＢ４１２と、使用状態ＤＢ４１３とを備える。
【００６３】
使用結果ＤＢ４１０は、図４に示すように、マッサージ機１０に対する第１使用情報を記憶する。使用結果ＤＢ４１０は、機器ＩＤに対し、第１使用情報を紐付けて記憶する。なお、マッサージ機１０の使用に対し、ユーザＩＤが付与されている場合、すなわち、ユーザＩＤが付与されたユーザがマッサージユニット２を使用した場合には、機器ＩＤに対し、ユーザＩＤ、および第１使用情報が紐付けられて記憶される。図４は、使用結果ＤＢ４１０に記憶された情報の一例を示す図である。
【００６４】
ユーザ使用情報ＤＢ４１１は、図５に示すように、ユーザＩＤに対し、機器ＩＤ、およびマッサージ機１０の第２使用情報を紐付けて記憶する。第２使用情報は、ユーザによるマッサージ機１０の使用コースの使用回数である。例えば、第２使用情報は、使用コースの累積使用回数である。なお、第２使用情報は、１週間当たりの使用コースの使用回数や、１月当たりの使用コースの使用回数などであってもよい。ユーザ使用情報ＤＢ４１１は、マッサージ機１０の使用コースの使用回数をユーザ毎に記憶する。図５は、ユーザ使用情報ＤＢ４１１に記憶された情報の一例を示す図である。
【００６５】
一般使用情報ＤＢ４１２は、図６に示すように、機器ＩＤに対し、マッサージ機１０の第３使用情報を紐付けて記憶する。第３使用情報は、マッサージ機１０の使用コースの使用回数である。例えば、第３使用情報は、使用コースの累積使用回数である。なお、第３使用情報は、１週間当たりの使用コースの使用回数や、１月当たりの使用コースの使用回数などであってもよい。図６は、一般使用情報ＤＢ４１２に記憶された情報の一例を示す図である。
【００６６】
第３使用情報は、一般ユーザの使用情報である。一般ユーザとは、ユーザＩＤが付与されているユーザ、およびユーザＩＤが付与されていないユーザ（他のユーザ）を含むユーザである。すなわち、一般ユーザは、マッサージ機１０を使用するユーザ全体を意味する。
【００６７】
なお、マッサージ機１０の使用コースに対し、他のマッサージ機１０の対応マッサージコース（以下、「対応コース」と称する場合がある。）が情報処理装置４に記憶される。対応コースは、或るマッサージ機１０の使用コースと同等のマッサージ動作を行う他のマッサージ機１０のマッサージコースである。対応コースは、各機器ＩＤの使用コースに対し、予め設定され、記憶される。
【００６８】
例えば、機器ＩＤ「１０００１」の「Ａコース」に対し、他のマッサージ機１０（機器ＩＤ：「１０１０１」）の「ＤＤコース」が同等のマッサージコースとして記憶されている。したがって、ユーザＩＤ「Ｕ１０００１」のユーザが、機器ＩＤ「１０００１」の「Ａコース」を頻繁に使用することが判断された場合、機器ＩＤ「１０００１」を使用する際は「Ａコース」を推奨マッサージコースとして提案することはもちろん、普段使用していない機器ＩＤ「１０１０１」を使用する場合は、「Ａコース」の対応コースとして「ＤＤコース」が提案される。
【００６９】
使用状態ＤＢ４１３は、各マッサージユニット２の使用状態を記憶する。使用状態ＤＢ４１３は、マッサージユニット２が使用されているか否かを記憶する。また、使用状態ＤＢ４１３は、予約状態を記憶する。使用状態ＤＢ４１３は、マッサージユニット２が予約されているか否かを記憶する。また、使用状態ＤＢ４１３は、マッサージユニット２の予約時間を記憶する。使用状態ＤＢ４１３は、機器ＩＤに、使用状態や、予約状態を紐付けて記憶する。なお、使用状態ＤＢ４１３は、マッサージユニット２の設置場所に関する情報も合わせて記憶する。
【００７０】
図３に戻り、制御部４４は、例えば、ＣＰＵ、ＲＯＭ、ＲＡＭ、入出力ポートなどを有するマイクロコンピュータや各種の回路を含む。制御部４４は、ＣＰＵがＲＯＭに記憶された各種プログラムを、ＲＡＭを作業領域として使用して実行することにより機能する取得部４２０、更新部４２１、検索部４２２、判定部４２３、生成部４２４、および出力部４２５を備える。
【００７１】
なお、制御部４４が備える取得部４２０、更新部４２１、検索部４２２、判定部４２３、生成部４２４、および出力部４２５は、それぞれ一部または全部がＡＳＩＣやＦＰＧＡ等のハードウェアで構成されてもよい。また、取得部４２０、更新部４２１、検索部４２２、判定部４２３、生成部４２４、および出力部４２５は、複数に分割されて構成されてもよく、統合されて構成されてもよい。
【００７２】
取得部４２０は、通信部４０を介してマッサージ機１０から、第１使用情報や、使用状態情報や、ユーザＩＤを取得する。また、取得部４２０は、通信部４０を介してユーザ端末５から、マッサージユニット２の予約条件情報を取得する。予約条件情報は、マッサージユニット２の使用日時や、使用場所などに関する情報を含む。
【００７３】
また、取得部４２０は、通信部４０を介してユーザ端末５から、予約決定情報を取得する。予約決定情報は、マッサージユニット２の予約を確定させる情報である。
【００７４】
更新部４２１は、取得されたマッサージ機１０の第１使用情報を用いて、使用結果ＤＢ４１０を更新する。更新部４２１は、ユーザＩＤに紐付けられた第１使用情報が取得された場合には、機器ＩＤに対し、ユーザＩＤ、および第１使用情報を紐付けし、使用結果ＤＢを更新する。
【００７５】
また、更新部４２１は、使用結果ＤＢに基づいて、ユーザ使用情報ＤＢ４１１、および一般使用情報ＤＢ４１２を更新する。
【００７６】
具体的には、更新部４２１は、ユーザＩＤに紐付けられた第１使用情報が取得された場合には、第１使用情報に含まれるユーザＩＤ、および機器ＩＤの使用コースに対し、第２使用情報の使用回数を増加させ、ユーザ使用情報ＤＢ４１１を更新する。また、更新部４２１は、第１使用情報に含まれる機器ＩＤの使用コースに対し、使用回数を増加させ、一般使用情報ＤＢ４１２を更新する。すなわち、更新部４２１は、ユーザＩＤに紐付けられた第１使用情報が取得された場合には、ユーザ使用情報ＤＢ４１１、および一般使用情報ＤＢ４１２を更新する。
【００７７】
また、更新部４２１は、ユーザＩＤに紐付けられていない第１使用情報が取得された場合には、第１使用情報に含まれる機器ＩＤの使用コースに対し、第３使用情報の使用回数を増加させ、一般使用情報ＤＢ４１２を更新する。すなわち、更新部４２１は、ユーザＩＤに紐付けられていない第１使用情報が取得された場合には、ユーザ使用情報ＤＢ４１１、および一般使用情報ＤＢ４１２のうち、一般使用情報ＤＢ４１２のみを更新する。
【００７８】
また、更新部４２１は、予約決定情報や、使用状態情報に基づいて使用状態ＤＢ４１３を更新する。更新部４２１は、予約決定情報や、使用状態情報に基づいて、対応する機器ＩＤのマッサージユニット２の予約状態や、使用状態を更新する。
【００７９】
検索部４２２は、予約条件情報、および使用状態ＤＢ４１３に記憶された情報に基づいて、ユーザが予約可能なマッサージユニット２を検索する。具体的には、検索部４２２は、予約条件を満たすマッサージユニット２を検索する。
【００８０】
判定部４２３は、使用状態ＤＢ４１３に記憶された予約決定情報に基づいて、予約されたマッサージユニット２に対し、予約結果送信タイミングとなったか否かを判定する。判定部４２３は、予約されたマッサージユニット２に対し、予約時間の所定時間前になると、予約結果送信タイミングとなったと判定する。
【００８１】
生成部２２２は、予約条件を満たすマッサージユニット２に関する情報（以下、「予約可能マッサージユニット情報」と称する。）を生成する。また、生成部２２２は、予約結果送信タイミングとなったマッサージユニット２に対する予約結果情報を生成する。
【００８２】
生成部４２４は、機器ＩＤ、ユーザＩＤ、およびマッサージ機１０の第２使用情報、または第３使用情報に基づいて、マッサージ機１０に対する推奨マッサージコースを使用提案情報として生成する。
【００８３】
生成部４２４は、ユーザが使用するマッサージ機１０に、過去にユーザが使用したマッサージコースが搭載されている場合には、ユーザ使用情報ＤＢ４１１を用いて推奨マッサージコースを選択する。
【００８４】
具体的には、生成部４２４は、ユーザ使用情報ＤＢ４１１の統計データに基づいた使用コースを推奨マッサージコースとして選択する。例えば、生成部４２４は、過去にユーザが使用したマッサージコースのうち、使用回数が最も多い使用コースを推奨マッサージコースとして選択する。そして、生成部４２４は、選択した推奨マッサージコースを使用提案情報として生成する。
【００８５】
例えば、「Ｕ１０００１」のユーザＩＤが付与されたユーザに対し、ユーザが使用するマッサージ機１０が機器ＩＤ「１０００１」であり、「Ａコース」が最も使用回数が多い場合には、生成部４２４は、「Ａコース」を推奨マッサージコースとする使用提案情報を生成する。
【００８６】
また、「Ｕ１０００１」のユーザＩＤが付与されたユーザに対し過去にユーザが使用したマッサージコースが搭載されていないマッサージ機１０を使用する場合については、生成部４２４は、推奨マッサージコースとして「Ａコース」の対応コースを使用提案情報として生成する。
【００８７】
例えば、ユーザに対し、「Ｕ１０００１」のユーザＩＤが付与されており、ユーザが使用するマッサージ機１０が「Ａコース」を搭載していない機器ＩＤ「１０１０１」であり、かつ「Ａコース」に対応する対応コースが「ＤＤコース」の場合には、生成部４２４は、「Ａコース」に対応する対応コース（「ＤＤコース」）を推奨マッサージコースとする使用提案情報を生成する。
【００８８】
また、生成部４２４は、ユーザが使用するマッサージ機１０に、過去にユーザが使用したマッサージコースが搭載されておらず、かつ対応コースも搭載されていない場合には、一般使用情報ＤＢ４１２を用いて推奨マッサージコースを選択する。
【００８９】
具体的には、生成部４２４は、ユーザが使用するマッサージ機１０について、一般使用情報ＤＢ４１２の統計データに基づいた使用コースを推奨マッサージコースとして選択する。例えば、生成部４２４は、ユーザが使用するマッサージ機１０の各コースの中で、使用回数が最も多い使用コースを推奨マッサージコースとして選択する。そして、生成部４２４は、選択した推奨マッサージコースを使用提案情報として生成する。
【００９０】
例えば、ユーザが使用するマッサージ機１０が、図６に示す機器ＩＤ「１０００１」である場合には、生成部４２４は、使用回数が多い「Ａコース」を推奨マッサージコースとする使用提案情報を生成する。
【００９１】
図３に戻り、出力部２２３は、生成された、予約可能マッサージユニット情報を、通信部４０を介してユーザ端末５に送信する。また、出力部２２３は、予約結果情報を、通信部２０を介してマッサージ機１０に送信する。また、出力部４２５は、生成された使用提案情報である推奨マッサージコースを、通信部４０を介してマッサージ機１０に送信する。なお、出力部２２３は、推奨マッサージコースを、通信部２０を介してユーザ端末５に送信してもよい。
【００９２】
［ユーザ端末］
次に、ユーザ端末５について図７を参照し説明する。図７は、実施形態に係るユーザ端末５の構成の一例を示すブロック図である。
【００９３】
ユーザ端末５は、ノート型ＰＣ（Personal  Computer）や、スマートフォンや、タブレット型端末や、ＰＤＡ（Personal  Digital  Assistant）等により実現される。ユーザ端末５は、通信部５０と、記憶部５１と、入力部５２と、表示部５３と、制御部５４とを備える。
【００９４】
ユーザ端末５は、インストールされた所定のプログラム（アプリケーション）が起動されることで、マッサージユニット２の予約が可能となる。
【００９５】
通信部５０は、例えば、ＮＩＣ等によって実現される。通信部５０は、ネットワークＮを介して無線によって、情報処理装置４と通信可能に接続される。
【００９６】
記憶部５１は、例えば、ＲＡＭ、フラッシュメモリ等の半導体メモリ素子、または、ハードディスク、光ディスク等の記憶装置によって実現される。
【００９７】
入力部５２は、ユーザから各種操作を受け付けるキーボートや、マウスなどによって実現される。表示部５３は、液晶ディスプレイなどによって実現される。なお、ユーザ端末５がスマートフォンなどである場合には、入力部５２は、表示部５３と一体的に構成される。
【００９８】
制御部５４は、例えば、ＣＰＵ、ＲＯＭ、ＲＡＭ、入出力ポートなどを有するマイクロコンピュータや各種の回路を含む。制御部５４は、ＣＰＵがＲＯＭに記憶された各種プログラムを、ＲＡＭを作業領域として使用して実行することにより機能する取得部５４０、生成部５４１、および出力部５４２を備える。
【００９９】
なお、制御部５４が備える取得部５４０、生成部５４１、および出力部５４２は、それぞれ一部または全部がＡＳＩＣやＦＰＧＡ等のハードウェアで構成されてもよい。また、取得部５４０、生成部５４１、および出力部５４２は、複数に分割されて構成されてもよく、統合されて構成されてもよい。
【０１００】
取得部５４０は、通信部５０を介して情報処理装置４から、予約可能マッサージユニット情報を取得する。取得された予約可能マッサージユニット情報は、例えば、地図情報とともに表示部５３に表示される。
【０１０１】
生成部５４１は、入力部５２に受け付けられたユーザの操作に基づいて、予約条件情報を生成する。なお、予約条件情報には、ユーザの位置情報が含まれてもよい。
【０１０２】
また、生成部２２２は、入力部５２に受け付けられたユーザの操作に基づいて、予約決定情報を生成する。生成部２２２は、ユーザが使用可能なマッサージユニット２の中から選択されたマッサージユニット２を予約するための予約決定情報を生成する。生成部２２２は、表示部５３に表示された地図情報、および予約可能マッサージユニット情報に基づいて、予約決定情報を生成する。
【０１０３】
出力部５４２は、生成された予約条件情報を、通信部５０を介して情報処理装置４に送信する。また、出力部２２３は、生成された予約決定情報を、通信部２０を介して情報処理装置４に送信する。
【０１０４】
［予約処理］
次に、マッサージユニット２の予約処理について図８を参照し説明する。図８は、実施形態に係る予約処理を説明するフローチャートである。
【０１０５】
情報処理装置４は、ユーザ端末５から予約条件情報を取得すると（Ｓ１００）、予約条件を満たすマッサージユニット２を検索する（Ｓ１０１）。
【０１０６】
情報処理装置４は、検索結果に基づいて予約可能マッサージユニット情報を生成し（Ｓ１０２）、予約可能マッサージユニット情報をユーザ端末５に送信する（Ｓ１０３）。
【０１０７】
情報処理装置４は、ユーザ端末５から予約決定情報を取得すると（Ｓ１０４）、予約決定情報に基づいて使用状態ＤＢ４１３を更新する（Ｓ１０５）。
【０１０８】
情報処理装置４は、予約結果送信タイミングになると（Ｓ１０６：Ｙｅｓ）、予約結果情報を生成する（Ｓ１０７）。情報処理装置４は、予約結果送信タイミングではない場合には（Ｓ１０６：Ｎｏ）、予約結果送信タイミングとなるまで、処理を保留する（Ｓ１０６）。
【０１０９】
情報処理装置４は、生成した予約結果情報をマッサージ機１０に送信する（Ｓ１０８）。
【０１１０】
予約結果情報を取得したマッサージユニット２では、例えば、状態表示部１２に「予約中」と表示される。
【０１１１】
［使用提案処理］
次に、マッサージユニット２の使用提案処理について図９を参照し説明する。図９は、実施形態に係る使用提案処理を説明するフローチャートである。
【０１１２】
マッサージ機１０は、ユーザＩＤを取得し（Ｓ２００）、ユーザＩＤを情報処理装置４に送信する（Ｓ２０１）。
【０１１３】
マッサージ機１０は、情報処理装置４から推奨マッサージコースを使用提案情報として取得する（Ｓ２０２）。マッサージ機１０は、取得した使用提案情報を操作部１４に表示する（Ｓ２０３）。
【０１１４】
マッサージ機１０は、マッサージを実行する（Ｓ２０４）。具体的には、マッサージ機１０は、操作部１４におけるユーザの操作に基づいてマッサージを実行する。マッサージ機１０は、ユーザが推奨マッサージコースを選択した場合には、推奨マッサージコースに基づいてマッサージを実行する。また、マッサージ機１０は、例えば、ユーザが他のマッサージコースを選択した場合には、他のマッサージコースに基づいてマッサージを実行する。
【０１１５】
［効果］
次に、マッサージユニット管理システム１の効果について説明する。
【０１１６】
マッサージユニット２は、ユーザＩＤを取得し、取得したユーザＩＤを情報処理装置４に送信し、ユーザＩＤに基づいた推奨マッサージコースを情報処理装置４から取得する。そして、マッサージユニット２は、取得した推奨マッサージコースに基づいてマッサージを実行する。
【０１１７】
これにより、マッサージユニット２は、各ユーザに合ったマッサージを実行することができる。例えば、ユーザは、一般施設に設置されたマッサージユニット２を使用する場合であっても、ユーザが普段使用しているマッサージを素早く受けることができる。そのため、マッサージユニット２の使用に対するユーザの満足度を向上させることができ、マッサージユニット２の使用を促進させることができる。また、マッサージユニット２の使用を促進させることで、例えば、一般施設にマッサージユニット２を設置する事業者などに、高価なマッサージユニット２の購入意欲を生じさせることができる。
【０１１８】
また、マッサージユニット２は、マッサージユニット２の予約状態を状態表示部１２に表示する。状態表示部１２は、外部から視認可能な位置に設けられる。これにより、マッサージユニット２の予約状態を、マッサージユニット２の周囲にいる人に知らせることができる。そのため、マッサージユニット２の周囲にいる人は、マッサージユニット２が使用可能であるか否かを容易に知ることができる。また、予約されたマッサージユニット２が、マッサージユニット２を予約したユーザ以外に使用されることを防止することができる。
【０１１９】
また、状態表示部１２は、マッサージ機１０の周囲に設けられた仕切り部１１に設けられる。これにより、仕切り部１１が設けられた場合であっても、マッサージユニット２の周囲にいる人は、外部からマッサージユニット２の予約状態を確認することができる。
【０１２０】
また、マッサージユニット管理システム１は、マッサージユニット２と、複数のマッサージユニット２の中から選択されたマッサージユニット２に対する予約結果情報を取得し、予約結果情報をマッサージユニット２に送信する情報処理装置４とを備える。
【０１２１】
これにより、ユーザは、使用を所望するマッサージユニット２を予約することができ、予約した時間にマッサージユニット２を使用することができる。そのため、マッサージユニット２の使用を促進させることができる。
【０１２２】
また、マッサージユニット２は、マッサージ機１０に着座したユーザを外部から隠す仕切り部１１を備える。例えば、仕切り部１１は、マッサージ機１０に着座したユーザの顔を隠すように設けられる。また、仕切り部１１は、マッサージ機１０に着座したユーザの下半身を隠すように設けられる。
【０１２３】
これにより、マッサージ機１０を使用するユーザは、他人の視線を気にすることなくマッサージを受けることができる。そのため、一般施設に設置されたマッサージユニット２の使用を促進させることができる。特に、女性ユーザの使用を促進させることができる。従って、マッサージユニット２の利用率を向上させることができる。また、マッサージユニット２の使用を促進させることで、例えば、一般施設にマッサージユニット２を設置する事業者などに、高価なマッサージユニット２の購入意欲を生じさせることができる。
【０１２４】
また、仕切り部１１は、マッサージ機１０の周囲に設けられる。これにより、マッサージ機１０を使用するユーザを隠しつつ、マッサージ機１０を使用するユーザに圧迫感を与えることを抑制することができる。
【０１２５】
［変形例］
変形例に係るマッサージユニット２は、図１０に示すように、仕切り部１００をマッサージ機１０に取り付けてもよい。図１０は、変形例に係るマッサージユニット２を示す概略図である。
【０１２６】
仕切り部１００は、ユーザの着座の邪魔にならないようにマッサージ機１０の本体部１３に対して回動可能な取付部材１００ａを介してマッサージ機１０の本体部１３に取り付けられる。仕切り部１００は、座部１３ａに着座したユーザの顔を隠すように設けられる。
【０１２７】
これにより、マッサージ機１０を使用するユーザは、他人の視線を気にすることなくマッサージを受けることができる。また、例えば、マッサージユニット２を移動させる場合に、マッサージ機１０と、仕切り部１００とを同時に移動させることができ、マッサージユニット２の移動が容易となる。また、マッサージユニット２を小型化することができる。
【０１２８】
仕切り部１００は、画像投影用のスクリーンであってもよい。これにより、マッサージユニット２は、使用可能時間の間、スクリーンを使用して映画などをユーザに鑑賞させつつ、ユーザの顔を隠すことができる。そのため、ユーザの満足度を向上させ、マッサージユニット２に使用を促進させることができる。
【０１２９】
なお、仕切り部１００は、ユーザに前方から温感マッサージを実行する温感マッサージ部であってもよい。例えば、仕切り部１００は、ヒータである。これにより、マッサージユニット２は、ユーザの前方から温感マッサージを実行しつつ、ユーザの顔を隠すことができる。そのため、ユーザの満足度を向上させ、マッサージユニット２に使用を促進させることができる。
【０１３０】
また、仕切り部１００は、ハーフミラーであってもよい。仕切り部１００は、座部１３ａに着座したユーザから外部を見ることができ、外部からユーザを隠すように設けられる。これにより、マッサージ機１０を使用するユーザを隠しつつ、マッサージ機１０を使用するユーザに圧迫感を与えることを抑制することができる。
【０１３１】
また、仕切り部１００は、紫外線照射部を有してもよい。この場合、着座を検知する手段（例えば、着座センサ）を備えて、誰も着座していない時期に本体部１３の表面側に向けて自動的に紫外線を照射できる。これにより、不特定多数のユーザが使用するマッサージ機１０の清潔感を維持でき、外部から認識できるようにすれば、ユーザに安心感をアピールすることができる。
【０１３２】
また、仕切り部１０１は、図１１に示すように、座部１３ａに着座したユーザの下半身を隠すように設けられたガード部であってもよい。例えば、仕切り部１０１は、座部１３ａに着座したユーザの腰から下を隠すように設けられる。仕切り部１０１は、ユーザの着座の邪魔にならないようにマッサージ機１０の本体部１３に対して回動可能な取付部材１０１ａを介してマッサージ機１０の本体部１３に取り付けられる。なお、仕切り部１０１は、マッサージ機１０の本体部１３に対し、左右方向（一対の肘掛け部１３ｃが配置される方向）にスライド可能であってもよい。図１１は、変形例に係るマッサージユニット２を示す概略図である。なお、変形例に係るマッサージユニット２は、仕切り部１０１のみを備えてもよいが、仕切り部１０１に上述の温感マッサージ部や紫外線照射部を有してもよい。
【０１３３】
また、変形例に係るマッサージユニット２は、座部１３ａに着座するユーザの靴を収納する収納部をマッサージ機１０に設けてもよい。
【０１３４】
なお、マッサージユニット管理システム１は、上記実施形態、および変形例を組み合わせて適用することも可能である。また、上記したマッサージユニット管理システム１の一部のみを実施してもよい。
【０１３５】
また、マッサージユニット２、情報処理装置４、およびユーザ端末５は、上記する処理を実現するためのプログラムが記録されたコンピュータ読み取り可能な記録媒体を備えている。ＣＰＵは、記録媒体に記録されたプログラムを読み出すことで、上記する処理を実行することができる。コンピュータ読み取り可能な記録媒体は、上記したＲＯＭなどの半導体メモリや、磁気ディスクや、光磁気ディスクなどである。
【符号の説明】
【０１３６】
１      マッサージユニット管理システム
２      マッサージユニット
４      情報処理装置
５      ユーザ端末
１０    マッサージ機
１１    仕切り部
１２    状態表示部（表示部）
１３    本体部
１３ａ  座部
１３ｂ  背もたれ部
１４    操作部
１４ａ  認証装置
１５    コントローラ
２２    制御部
１００  仕切り部
１０１  仕切り部
２２０  第１取得部
２２１  第２取得部
２２２  生成部
２２３  出力部（送信部）
２２４  実行部
２２５  管理部
【図１】
2020185221.tif 000003
【図２】
2020185221.tif 000004
【図３】
2020185221.tif 000005
【図４】
2020185221.tif 000006
【図５】
2020185221.tif 000007
【図６】
2020185221.tif 000008
【図７】
2020185221.tif 000009
【図８】
2020185221.tif 000010
【図９】
2020185221.tif 000011
【図１０】
2020185221.tif 000012
【図１１】
2020185221.tif 000013